(57)【特許請求の範囲】
【請求項１】
収納する物品の寸法を測定して入力する物品寸法入力工程と、
前記物品寸法入力工程で入力された物品の寸法と余裕係数から展開面積演算式に従って収納袋の展開面積を算出する展開面積演算工程と、
収納形態と組になって記憶されている単価に前記展開面積演算工程で算出した展開面積を乗算して収納費用を算出する収納費用演算工程と、
前記収納形態と前記収納費用演算工程で算出した収納費用とを対応させて表示する表示工程と、
からなることを特徴とする物品収納形態の決定支援方法。
【請求項２】
収納する物品の寸法を測定して入力する物品寸法入力工程と、
検索条件を入力する検索条件入力工程と、
前記検索条件入力工程で入力された検索条件に基づき条件を満足する収納形態を少なくとも１種類検索する収納形態検索工程と、
前記物品寸法入力工程で入力された物品の寸法と余裕係数から展開面積演算式に従って収納袋の展開面積を算出する展開面積演算工程と、
前記収納形態検索工程で検索された種類の収納形態について収納形態と組になって記憶されている単価に前記展開面積演算工程で算出した展開面積を乗算して収納費用を算出する収納費用演算工程と、
前記検索された収納形態と前記収納費用演算工程で算出した収納費用とを対応させて表示する表示工程と、
からなることを特徴とする物品収納形態の決定支援方法。
【請求項３】
収納する物品の寸法を測定して入力する物品寸法入力工程と、
検索条件を入力する検索条件入力工程と、
前記検索条件入力工程で入力された検索条件に基づき条件を満足する収納形態を少なくとも１種類検索する収納形態検索工程と、
前記物品寸法入力工程で入力された物品の寸法と余裕係数から展開面積演算式に従って収納袋の展開面積を算出する展開面積演算工程と、
前記収納形態検索工程で検索された種類の収納形態について収納形態と組になって記憶されている単価に前記展開面積演算工程で算出した展開面積を乗算して収納費用を算出する収納費用演算工程と、
前記検索された収納形態と前記収納費用演算工程で算出した収納費用とを対応させて表示する表示工程と、
前記余裕係数の値を変えて前記展開面積演算工程，収納費用演算工程，表示工程を繰り返す余裕係数変更工程と、
からなることを特徴とする物品収納形態の決定支援方法。
【請求項４】
収納形態とともに対応する単価を組にして複数種類記憶する収納形態・単価記憶手段と、
入力された物品の寸法と余裕係数から展開面積演算式に従って収納袋の展開面積を算出する展開面積演算手段と、
前記収納形態・単価記憶手段が記憶している単価に前記展開面積演算工程で算出した展開面積を乗算して収納費用を算出する収納費用演算手段と、
前記収納形態・単価記憶手段が記憶している収納形態と前記収納費用演算工程で算出した収納費用とを対応させて表示する表示手段と、
を備えたことを特徴とする物品収納形態の決定支援装置。
【請求項５】
収納形態とともに対応する単価を組にして複数種類記憶する収納形態・単価記憶手段と、
入力された検索条件に基づき条件を満足する収納形態を前記収納形態・単価記憶手段が記憶する収納形態から少なくとも１種類検索する収納形態検索手段と、前記物品寸法入力工程で入力された物品の寸法と余裕係数から展開面積演算式に従って収納袋の展開面積を算出する展開面積演算手段と、
前記収納形態検索工程で検索された種類の収納形態について収納形態と組になって記憶されている単価に前記展開面積演算手段が算出した展開面積を乗算して収納費用を算出する収納費用演算手段と、
前記検索された収納形態と前記収納費用演算工程で算出した収納費用とを対応させて表示する表示手段と、
を備えたことを特徴とする物品収納形態の決定支援装置。
【請求項６】
収納形態とともに対応する単価を組にして複数種類記憶する収納形態・単価記憶手段と、
入力された検索条件に基づき条件を満足する収納形態を前記収納形態・単価記憶手段が記憶する収納形態から少なくとも１種類検索する収納形態検索手段と、前記物品寸法入力工程で入力された物品の寸法と余裕係数から展開面積演算式に従って収納袋の展開面積を算出する展開面積演算手段と、
前記収納形態検索工程で検索された種類の収納形態について収納形態と組になって記憶されている単価に前記展開面積演算手段が算出した展開面積を乗算して収納費用を算出する収納費用演算手段と、
前記検索された収納形態と前記収納費用演算工程で算出した収納費用とを対応させて表示する表示手段と、
前記余裕係数の値を変更する余裕係数変更手段とを備え、
前記余裕係数変更手段により変更した余裕係数に基づき前記展開面積演算手段による演算、前記収納費用演算手段による演算、前記表示手段による表示を繰り返すことを特徴とする物品収納形態の決定支援装置。
【請求項７】
前記収納形態・単価記憶手段が記憶する単価を更新する単価更新手段を備えることを特徴とする請求項４、５，６のいずれかの項記載の物品収納形態の決定支援装置。
【発明の詳細な説明】
【０００１】
【発明の属する技術分野】
本発明は、種々の材質，形状等からなる物品を収納する収納袋や収納方法等の収納形態を決定するのを容易にする決定支援方法及び装置に関する。
【０００２】
【従来の技術】
物品を保管する場合には、発錆や変質しないようにポリエチレン等の袋に収納しておくものであるが、その際物品の素材や加工方法及び保存期間によってその収納用袋の材質・大きさや収納方法（油脂の塗布、真空パック、ガス封入、防錆剤などの挿入）などの収納形態が異なる。
【０００３】
物品の素材としては鉄，ステンレス，アルミニウム，ガラス，布，紙，木，革など錆びるもの錆びないもの、変質し易いものや変質し難いものなど種々ある。
【０００４】
また加工方法にはプレス加工，溶接加工，切削加工，研磨加工，樹脂加工，メッキ加工，ガラス加工（ホーロー），縫製加工等があり、加工方法によっても錆びの生じ易いものとそうでないものとがある。
さらには物品自体が各種素材が混合したものなどがある。
【０００５】
これら物品の性質を勘案して収納形態を決めなければならず、従来は物品ごとに作業者が経験や勘に基づいて収納形態を決めていた。
【０００６】
【発明が解決しようとする課題】
しかるに収納形態が異なれば収納のための作業時間も考慮した単価が異なり、物品の大きさによって収納費用が異なる。
【０００７】
作業者は、経験や勘により収納形態を決めるものの、収納にかかる費用については面倒な計算をしなければならず簡単には知ることができず、収納費用を考慮した収納形態の決定が困難であった。
また作業者により決定される収納形態が異なるような場合があり、無駄な費用を要していることもある。
【０００８】
本発明は、斯かる点に鑑みなされたもので、その目的とする処は、収納費用を考慮しながら適切な物品の収納形態を容易に決定することができるよう支援する物品収納形態の決定支援方法及び装置を供する点にある。
【０００９】
【課題を解決するための手段及び作用効果】
上記目的を達成するために、本発明は、収納する物品の寸法を測定して入力する物品寸法入力工程と、前記物品寸法入力工程で入力された物品の寸法と余裕係数から展開面積演算式に従って収納袋の展開面積を算出する展開面積演算工程と、収納形態と組になって記憶されている単価に前記展開面積演算工程で算出した展開面積を乗算して収納費用を算出する収納費用演算工程と、前記収納形態と前記収納費用演算工程で算出した収納費用とを対応させて表示する表示工程とからなる物品収納形態の決定支援方法とした。
【００１０】
収納する物品の寸法を測定して入力すると、入力された物品の寸法と余裕係数から展開面積演算式に従って収納袋の展開面積が演算され、その展開面積に単価を乗算して収納費用を算出し、収納形態と収納費用を対応させて表示するので、作業者は表示された収納費用を考慮して適切な物品収納形態を容易に決めることができる。
【００１１】
請求項２記載の発明は、収納する物品の寸法を測定して入力する物品寸法入力工程と、検索条件を入力する検索条件入力工程と、前記検索条件入力工程で入力された検索条件に基づき条件を満足する収納形態を少なくとも１種類検索する収納形態検索工程と、前記物品寸法入力工程で入力された物品の寸法と余裕係数から展開面積演算式に従って収納袋の展開面積を算出する展開面積演算工程と、前記収納形態検索工程で検索された種類の収納形態について収納形態と組になって記憶されている単価に前記展開面積演算工程で算出した展開面積を乗算して収納費用を算出する収納費用演算工程と、前記検索された収納形態と前記収納費用演算工程で算出した収納費用とを対応させて表示する表示工程とからなる物品収納形態の決定支援方法である。
【００１２】
検索条件を入力することで、収納形態を少なくとも１種類検索して絞ることができ、物品の寸法の入力に基づき収納費用が演算され、検索された収納形態と算出された収納費用が対応して表示されるので、作業者は表示された収納費用を考慮して絞り込まれた収納形態から適切な収納形態を益々容易に決めることができる。
【００１３】
請求項３記載の発明は、収納する物品の寸法を測定して入力する物品寸法入力工程と、検索条件を入力する検索条件入力工程と、前記検索条件入力工程で入力された検索条件に基づき条件を満足する収納形態を少なくとも１種類検索する収納形態検索工程と、前記物品寸法入力工程で入力された物品の寸法と余裕係数から展開面積演算式に従って収納袋の展開面積を算出する展開面積演算工程と、
前記収納形態検索工程で検索された種類の収納形態について収納形態と組になって記憶されている単価に前記展開面積演算工程で算出した展開面積を乗算して収納費用を算出する収納費用演算工程と、前記検索された収納形態と前記収納費用演算工程で算出した収納費用とを対応させて表示する表示工程と、前記余裕係数の値を変えて前記展開面積演算工程，収納費用演算工程，表示工程を繰り返す余裕係数変更工程とからなる物品収納形態の決定支援方法である。
【００１４】
余裕係数の値を変えて展開面積の演算，収納費用の演算を行い、収納形態とともに新たな収納費用を対応して表示することを繰り返すことができるので、作業者は表示された収納費用を考慮してより適切な余裕係数の物品収納形態を容易に決めることができる。
【００１５】
請求項４記載の発明は、収納形態とともに対応する単価を組にして複数種類記憶する収納形態・単価記憶手段と、入力された物品の寸法と余裕係数から展開面積演算式に従って収納袋の展開面積を算出する展開面積演算手段と、前記収納形態・単価記憶手段が記憶している単価に前記展開面積演算工程で算出した展開面積を乗算して収納費用を算出する収納費用演算手段と、前記収納形態・単価記憶手段が記憶している収納形態と前記収納費用演算工程で算出した収納費用とを対応させて表示する表示手段とを備えた物品収納形態の決定支援装置である。
【００１６】
収納する物品の寸法を測定して入力すると、展開面積演算手段により入力された物品の寸法と余裕係数から展開面積演算式に従って収納袋の展開面積が演算され、収納費用演算手段によりその展開面積に単価を乗算して収納費用を算出し、表示手段により収納形態と収納費用を対応させて表示するので、作業者は表示された収納費用を考慮して適切な物品収納形態を容易に決めることができる。
【００１７】
請求項５記載の発明は、収納形態とともに対応する単価を組にして複数種類記憶する収納形態・単価記憶手段と、入力された検索条件に基づき条件を満足する収納形態を前記収納形態・単価記憶手段が記憶する収納形態から少なくとも１種類検索する収納形態検索手段と、前記物品寸法入力工程で入力された物品の寸法と余裕係数から展開面積演算式に従って収納袋の展開面積を算出する展開面積演算手段と、前記収納形態検索工程で検索された種類の収納形態について収納形態と組になって記憶されている単価に前記展開面積演算手段が算出した展開面積を乗算して収納費用を算出する収納費用演算手段と、前記検索された収納形態と前記収納費用演算工程で算出した収納費用とを対応させて表示する表示手段とを備えた物品収納形態の決定支援装置である。
【００１８】
検索条件を入力することで、収納形態検索手段により収納形態を少なくとも１種類検索して絞ることができ、物品の寸法の入力に基づき展開面積演算手段により展開面積が演算され収納費用演算手段により収納費用が演算され、検索された収納形態と算出された収納費用が対応して表示されるので、作業者は表示された収納費用を考慮して絞り込まれた収納形態から適切な収納形態を益々容易に決めることができる。
【００１９】
請求項６記載の発明は、収納形態とともに対応する単価を組にして複数種類記憶する収納形態・単価記憶手段と、入力された検索条件に基づき条件を満足する収納形態を前記収納形態・単価記憶手段が記憶する収納形態から少なくとも１種類検索する収納形態検索手段と、前記物品寸法入力工程で入力された物品の寸法と余裕係数から展開面積演算式に従って収納袋の展開面積を算出する展開面積演算手段と、前記収納形態検索工程で検索された種類の収納形態について収納形態と組になって記憶されている単価に前記展開面積演算手段が算出した展開面積を乗算して収納費用を算出する収納費用演算手段と、前記検索された収納形態と前記収納費用演算工程で算出した収納費用とを対応させて表示する表示手段と、前記余裕係数の値を変更する余裕係数変更手段とを備え、前記余裕係数変更手段により変更した余裕係数に基づき前記展開面積演算手段による演算、前記収納費用演算手段による演算、前記表示手段による表示を繰り返す物品収納形態の決定支援装置である。
【００２０】
余裕係数変更手段により余裕係数の値を変えて展開面積演算手段による展開面積の演算，収納費用演算手段による収納費用の演算を行い、表示手段により収納形態とともに新たな収納費用を対応して表示することを繰り返すことができるので、作業者は表示された収納費用を考慮してより適切な余裕係数の物品収納形態を容易に決めることができる。
【００２１】
請求項７記載の発明は、請求項４、５，６のいずれかの項記載の物品収納形態の決定支援装置において、前記収納形態・単価記憶手段が記憶する単価を更新する単価更新手段を備えることを特徴とする。
【００２２】
単価更新手段により収納形態・単価記憶手段が記憶する単価を更新することができるので、単価を固定せずにその時々に適応した単価に変えて柔軟に対応することができる。
【００２３】
【発明の実施の形態】
以下本発明に係る一実施の形態について図１ないし図６に基づき説明する。
本実施の形態に係る物品収納形態決定支援装置１の構成を図１に示す。
【００２４】
該物品収納形態決定支援装置１は、コンピュータ２よりなり、コンピュータ２のＣＰＵ３は、ＲＯＭ４が記憶する処理手順に従って随時ＲＡＭ５に記憶されたデータを利用して演算処理等を実行する。
【００２５】
ＣＰＵ３は、画像処理してインタフェース６を介してＣＲＴ７に表示させるとともに、プリンタ９に印刷させることができる。
またＣＰＵ３は、キーボード８からデータや指示の入力があると、インタフェース６を介して入力して処理する。
【００２６】
以上の物品収納形態決定支援装置１の制御系のブロック図を図２に示す。
大別してキーボード８による入力部と、ＣＰＵ３及びＲＯＭ４による演算処理部と、ＲＡＭ５による記憶部、ＣＲＴ７やプリンタ９による出力部に分かれる。
【００２７】
入力部では、収納物品の寸法（Ｌ，Ｗ，Ｈ），余裕係数α，検索条件及び単価ｕｉの入力がなされる。
ここに収納物品の寸法（Ｌ，Ｗ，Ｈ）は、収納物品が６面に接して内包される直方六面箱の長さＬ，幅Ｗ，高さＨの３つの寸法のことである。
【００２８】
例えばボルトの場合は、図３に示すようにボルトを内包する直方六面箱を想定し、同直方六面箱はその６面がボルトに接するように設定したものである。
この直方六面箱の最も長い辺の寸法を長さＬ，次に長い辺の寸法を幅Ｗ，最も短い辺の寸法を高さＨとして、この３つの寸法を測定する。
長さＬ，幅Ｗ，高さＨの間には、Ｌ≧Ｗ≧Ｈの関係がある。
【００２９】
余裕係数αは、物品を収納する収納袋の大きさがきつ目かゆる目かの余裕の度合を示すもので、収納袋の展開面積Ｓを演算するのに用いられる。
検索条件は、収納する物品の材質，加工方法及び保存期間等であり、入力された条件を満たす収納形態を検索することができるものである。
単価ｕｉは、収納袋の単位展開面積当りの単価であり、後記する記憶部において記憶されているが、更新の必要が生じたときに新たな単価が入力される。
【００３０】
一方記憶部は、収納袋や収納方法等の多種類の収納形態Ｒ１，Ｒ２，…，Ｒｉ，…にそれぞれ対応する単価ｕ１，ｕ２，…，ｕｉ，…を組にして図４に示す表のように記憶する収納形態・単価記憶手段２０よりなり、同収納形態・単価記憶手段２０の単価ｕｉは、前記したように更新することができる。
【００３１】
演算処理部では、前記入力部から入力される収納物品の寸法（Ｌ，Ｗ，Ｈ）と余裕係数αとから収納袋の展開面積Ｓを演算する展開面積演算手段２１を備えている。
【００３２】
展開面積演算手段２１は、以下の展開面積演算式
Ｓ＝（２Ｗ＋２Ｈ＋２）×（Ｌ＋α・Ｗ＋２）
に従って展開面積Ｓを演算する。
同式は、前記収納物品の寸法（Ｌ，Ｗ，Ｈ）を求めた際に想定した直方六面箱に底部のシール代及び間口の縛り代を考慮して形成された収納袋を展開したときの面積を簡略的に算出する演算式である。
【００３３】
ここに余裕係数αは縛り代係数に相当するもので、収納袋に物品を入れて間口を縛る実験の結果、余裕係数αが０．６８以下ではきつ過ぎて縛るのに支障を来たし、また０．８以上であると袋に余裕が有り過ぎて高価となってしまうことが確認されている。
【００３４】
したがって余裕係数αは、０．６８＜α＜０．８０の値に設定するのが好適である。
なお０．６８＜α＜０．８０であっても値が小さい程きつくなり収納作業に手間取ることがあるが材料費は安くすみ、逆に高い程ゆるくなり収納作業がし易くなるが材料費が高くなる。
【００３５】
また演算処理部は、前記検索条件の入力があると、その条件に合う収納形態Ｒｉ及び単価ｕｉを前記収納形態・単価記憶手段２０から検索する収納形態・単価検索手段２２を備えている。
【００３６】
例えば収納物品が鉄製で材質が鉄と入力があると、樹脂やアルミニウム製の物品を収納する形態は除かれ鉄部品を収納する種々の収納形態が抽出される。
また防錆寿命が１５年との入力があると、１５年の防錆寿命の種々の収納形態が検索される。
【００３７】
さらに演算処理部には、収納費用演算手段２３が設けられており、同収納費用演算手段２３は、前記展開面積演算手段２１が演算した収納袋の展開面積Ｓに前記収納形態・単価検索手段２２が検索した収納形態Ｒｉについての単価ｕｉを乗算して収納費用Ｃｉを演算する。
【００３８】
またさらに演算処理部は、収納費用演算手段２３が演算した収納費用Ｃｉと前記収納形態・単価検索手段２２が検索した収納形態Ｒｉとを対応するものどうしを組にして表にした画像を形成する収納形態・収納費用画像処理手段２４を備えている。
【００３９】
この収納形態・収納費用画像処理手段２４により形成された収納形態Ｒｉと収納費用Ｃｉのリストの像を出力部のＣＲＴ７が表示したり、又はプリンタ９が印刷する。
【００４０】
以上のような構成に係る物品収納形態決定支援装置１の作業手順を図５に示すフローチャートに従って説明する。
まずステップ１で収納袋の単位展開面積当りの単価ｕｉと初期余裕係数αの入力があるが、当初単価ｕｉについては、予め設定された単価ｕｉが収納形態・単価記憶手段２０に記憶されており、初期余裕係数αも適当な値（例えば好適範囲の中間の０．７）に予め設定されているので、該ステップ１の入力はしなくともよい。
【００４１】
次にステップ２で収納物品を測定して得た長さＬ，幅Ｗ，高さＨの寸法データを入力し、次いでステップ３で検索条件を入力する。
するとステップ４で検索条件に合う収納形態Ｒｉ及び単価ｕｉを前記収納形態・単価記憶手段２０から検索する。
【００４２】
次のステップ５では、収納物品の寸法（Ｌ，Ｗ，Ｈ）と余裕係数αとから前記展開面積演算式に従って収納袋の展開面積Ｓを演算する。
そして次のステップ６で、演算された収納袋の展開面積Ｓに前記検索した収納形態Ｒｉについての単価ｕｉを演算された収納袋の展開面積Ｓに乗算して収納費用Ｃｉを演算する。
【００４３】
こうして検索された収納形態Ｒｉと算出された収納費用Ｃｉを対応させて表にした像をステップ７で表示する。
検索条件として物品の材質が鉄であることを入力した場合の表示例を図６に示す。
【００４４】
作業者はこの表を見て当該物品を収納するために最も適切と思われる収納形態をその収納費用を考慮して容易に選択することができる。
そして次のステップ８では、収納形態及び収納費用がともに適切であり採用可能であるか否かを判断する。
【００４５】
収納費用の面で採用不能ならばステップ９に進み、余裕係数αの値を変更してステップ５に戻り、展開面積Ｓの演算、収納費用Ｃｉの演算（ステップ６）、収納形態Ｒｉと新たな収納費用Ｃｉの表示（ステップ７）を行い、再び採用可能か判断する（ステップ８）。
【００４６】
以上のステップ５，６，７，８，を余裕係数αの値を変えて繰り返し行い、採用可能な収納形態及び収納費用を決めることが容易にできる。
こうして採用可能な収納形態及び収納費用が決まると、ステップ８からステップ１０に進み、終了するか否かを判別し、単価ｕｉを更新したいとき又は別の物品について収納形態を決めたいときなどはステップ１に戻り、それ以外のときは終了とする。
【００４７】
なおステップ３で検索条件を入力したが、入力しなくてもよい。
検索条件を入力しないと、収納形態・単価記憶手段２０が記憶する全ての収納形態が表示されることになり、多数の収納形態の中から採用可能な収納形態を決めなければならない。
【００４８】
したがって収納物品の寸法（Ｌ，Ｗ，Ｈ）を入力するだけで、初期余裕係数αについての全ての収納形態Ｒｉと収納費用Ｃｉの表が表示され、該表を参照して収納形態Ｒｉを容易に決定することが可能である。
【００４９】
そしてさらに検索条件を入力することで、収納しようとする物品に関する収納形態に絞られて収納形態Ｒｉと収納費用Ｃｉの表が表示されるので、より容易に収納形態Ｒｉを決定することができる。
【００５０】
また余裕係数αを変えて繰り返し演算し、収納形態Ｒｉと収納費用Ｃｉの表を表示させることで、適切な収納費用Ｃｉの収納形態Ｒｉを容易に決定することができ、作業者の収納形態の決定を効果的に支援することができる。
【００５１】
なおステップ１では、単価を入力して収納形態・単価記憶手段２０が記憶する単価ｕｉを更新することができるので、単価を固定せずにその時々に適応した単価に変えて柔軟に対応することができる。
【図面の簡単な説明】
【図１】本発明の一実施の形態に係る物品収納形態決定支援装置の構成図である。
【図２】該物品収納形態決定支援装置の制御系のブロック図である。
【図３】ボルトを例にした寸法の測定方法の説明図である。
【図４】収納形態・単価記憶手段が記憶する収納形態・単価の表を示す図である。
【図５】該物品収納形態決定支援装置の作業手順を示すフローチャートである。
【図６】収納形態と算出された収納費用を対応させて表にした表示例である。
【符号の説明】
１…物品収納形態決定支援装置、２…コンピュータ、３…ＣＰＵ、４…ＲＯＭ、５…ＲＡＭ、６…インタフェース、７…ＣＲＴ、８…キーボード、９…プリンタ、
２０…収納形態・単価記憶手段、２１…展開面積演算手段、２２…収納形態・単価検索手段、２３…収納費用演算手段、２４…収納形態・収納費用画像処理手段。
【図１】
0003549050.tif 000002
【図２】
0003549050.tif 000003
【図３】
0003549050.tif 000004
【図４】
0003549050.tif 000005
【図５】
0003549050.tif 000006
【図６】
0003549050.tif 000007